(57)【要約】      （修正有）【課題】地盤強化用の木杭に振動加圧を加えた時に、効率よく地中に回転圧入が可能な木杭用取付金具を提供する。【解決手段】本体１の上端部周縁には、木杭ＷＰの外周部ＷＰ１に押し込んで固定する固着部を形成し、本体１の下端部外周面には所定の長さと所定の角度で複数の切り込みを設け、当該切り込みをそれぞれ外方に折り曲げて傾斜羽根２１、２２、２４等を形成する。また、固着部は、本体１の上端部周縁から下方に向けて約１ｃｍの長さと等間隔（約１ｃｍ）に複数の切り込みを設け、該切り込みを１個おきに外向きに直角に折り曲げて形成される平坦部１１ａと直立部１１ｂを設ける。【選択図】図４
0003172011.tif 000002
【実用新案登録請求の範囲】
【請求項１】
木杭の下部に取り付けられる金属パイプ製の取付金具であって、
前記金属パイプを所定の長さに切断されてなる本体の内径は少なくとも木杭の外径よりも小とし、
前記本体の上端部周縁に木杭の外周部に押し込んで固定する固着部を形成し、
前記本体の下端部外周面には所定の長さと所定の角度で複数の切り込みを設け、当該切り込みをそれぞれ外方に折り曲げて傾斜羽根を形成した、
ことを特徴とする木杭用取付金具。
【請求項２】
木杭の下部に取り付けられる金属パイプ製の取付金具であって、
前記金属パイプを所定の長さに切断されてなる本体の内径は少なくとも木杭の外径よりも小とし、
前記本体の上端部周縁に木杭の外周部に押し込んで固定する固着部を形成し、
前記本体の下端部外周面には所定の長さと所定の角度で複数の切り込みを設け、当該切り込みをそれぞれ外方に折り曲げて傾斜羽根を形成すると共に、
前記傾斜羽根と傾斜羽根の中間部における下端部外周面に所定長さの切り込みを上方に向けて複数設け、当該切り込みを内方に折り曲げて木杭への食い込み部を形成した、
ことを特徴とする木杭用取付金具。
【請求項３】
前記請求項１に記載の固着部が前記本体の上端部周縁から下方に向けて所定の長さで等間隔に複数の切り込みを設け、当該切り込みを１個おきに外向きに直角に折り曲げて形成される平坦部と直立部からなる、
ことを特徴とする請求項１に記載の木杭用取付金具。
【請求項４】
前記請求項２に記載の固着部が前記本体の上端部周縁から下方に向けて所定の長さで等間隔に複数の切り込みを設け、当該切り込みを外向きに直角に折り曲げて形成される平坦部である、
ことを特徴とする請求項２に記載の木杭用取付金具。
【請求項５】
前記下端部外周面に設けられる切り込み寸法が前記本体の全体長さ寸法の約１／５〜１／８である、
ことを特徴とする請求項１又は請求項２に記載の木杭用取付金具。
【請求項６】
前記下端部外周面に設けられる切り込み角度が約３０°〜４５°である、
ことを特徴とする請求項１又は請求項２に記載の木杭用取付金具。
【請求項７】
請求項１、請求項３、請求項５及び請求項６の何れかに記載の木杭用取付金具が、先端部に装着された、
ことを特徴とする木杭。
【請求項８】
請求項２、請求項４、請求項５及び請求項６の何れかに記載の木杭用取付金具が、先端部に装着された、
ことを特徴とする木杭。
【考案の詳細な説明】
【技術分野】
【０００１】  本考案は、木杭用取付金具及びこれを装着した木杭に関し、より詳しくは、木杭の下部に金属パイプ製の傾斜羽根を取り付けて木杭に振動加圧を加え、傾斜羽根の回転力を利用して木杭を地中に圧入する木杭用取付金具及びこれを装着した木杭に関する。
【背景技術】
【０００２】  従来より地盤改良ないし強化のために各種の杭が使用されている。木杭（例えば生松丸太等）は、直円筒型であり、支持する土砂との摩擦が少なく支持杭としての長さもなく杭として有効に働かないという欠点があった。また木杭の外周面に螺旋状に溝を形成した木杭が提案されている。例えば、特許文献１（第１頁、第１図参照）の課題は、地下水のレベル如何に拘わらず腐蝕を防止することができ、しかも施工を短時間で、かつ低コストで実施することができる木杭及びその埋設工法を提供するとし、その解決手段は、周面に螺旋が形成され、該螺旋の巻き方向とは逆方向に回転圧入することにより地盤に埋設されることを特徴としている。しかし、木杭を使用すれば、溝に土砂が絡み隣設した杭と相互に回転を止めあって有効に摩擦力を得ることができるが、螺旋溝杭を地中に挿入するには、杭を回転加圧させる必要があり、専用の杭打機が必要で、コスト高となる欠点がある。さらに木杭は材質上捩れに弱いという問題点も有している。【０００３】  しかしながら、木杭は鋼管杭やコンクリート杭等と比較してコストが極めて安価で、天然材であるから環境に優しく、また周辺の支持力も大きいことから需要度が高い。本願考案者は、上記従来技術の欠点、問題点を解消し、低コストで環境に優しい木杭を活用する手段、方法等を鋭意検討して本考案を完成させた。
【先行技術文献】
【特許文献】
【０００４】
【特許文献１】特開２００７−０７０９６８号公報
【考案の概要】
【考案が解決しようとする課題】
【０００５】  本願考案が解決しようとする第１の課題は、地盤強化用の木杭に振動加圧を加え、効率よく地中に回転圧入が可能な木杭用取付金具を提供することであり、第２の課題は、製作容易で、かつ木杭への装着作業が簡便な低コストな木杭用取付金具を提供することであり、第３の課題は、上記の木杭用取付金具を木杭の先端部に装着した木杭を提供することにある。
【課題を解決するための手段】
【０００６】  課題を解決するための手段は、本願、実用新案登録請求の範囲の各請求項に記載の考案であり、その具体的な解決手段は、以下の通りである。上記の課題を解決するための第１の考案は、請求項１に記載の考案であり、木杭の下部に取り付けられる金属パイプ製の取付金具であって、前記金属パイプを所定の長さに切断されてなる本体の内径は少なくとも木杭の外径よりも小とし、前記本体の上端部周縁に木杭の外周部に押し込んで固定する固着部を形成し、前記本体の下端部外周面には所定の長さと所定の角度で複数の切り込みを設け、当該切り込みをそれぞれ外方に折り曲げて傾斜羽根を形成した、ことを特徴としている。【０００７】  第２の考案は、請求項２に記載の考案であり、木杭の下部に取り付けられる金属パイプ製の取付金具であって、前記金属パイプを所定の長さに切断されてなる本体の内径は少なくとも木杭の外径よりも小とし、前記本体の上端部周縁に木杭の外周部に押し込んで固定する固着部を形成し、前記本体の下端部外周面には所定の長さと所定の角度で複数の切り込みを設け、当該切り込みをそれぞれ外方に折り曲げて傾斜羽根を形成すると共に、前記傾斜羽根と傾斜羽根の中間部における下端部外周面に所定長さの切り込みを上方に向けて複数設け、当該切り込みを内方に折り曲げて木杭への食い込み部を形成した、ことを特徴としている。【０００８】  第３の考案は、請求項３に記載の考案であり、前記請求項１に記載の固着部が前記本体の上端部周縁から下方に向けて所定の長さで等間隔に複数の切り込みを設け、当該切り込みを１個おきに外向きに直角に折り曲げて形成される平坦部と直立部からなる、ことを特徴としている。【０００９】  第４の考案は、請求項４に記載の考案であり、前記請求項２に記載の固着部が前記本体の上端部周縁から下方に向けて所定の長さで等間隔に複数の切り込みを設け、当該切り込みを外向きに直角に折り曲げて形成される平坦部である、ことを特徴としている。【００１０】  第５の考案は、請求項５に記載の考案であり、前記下端部外周面に設けられる切り込み寸法が前記本体の全体長さ寸法の約１／５〜１／８である、ことを特徴としている。【００１１】  第６の考案は、請求項６に記載の考案であり、前記下端部外周面に設けられる切り込み角度が約３０°〜４５°である、ことを特徴としている。【００１２】  第７の考案は、請求項７に記載の考案であり、請求項１、請求項３、請求項５及び請求項６の何れかに記載の木杭用取付金具が、先端部に装着された、ことを特徴としている。【００１３】  第８の考案は、請求項８に記載の考案であり、請求項２、請求項４、請求項５及び請求項６の何れかに記載の木杭用取付金具が、先端部に装着された、ことを特徴としている。
【考案の効果】
【００１４】  本考案に係る、木杭用取付金具及びこれを装着した木杭は、上記のような特徴的構成要件から構成され、特徴的構成要件に応じた、以下のような本考案特有の効果を奏する。また、上記のような特徴的構成要件によれば、本願考案の課題を十分に解決することができた。
即ち、第１の考案によれば、「木杭の下部に取り付けられる金属パイプ製の取付金具であって、前記金属パイプを所定の長さに切断されてなる本体の内径は少なくとも木杭の外径よりも小とし、前記本体の上端部周縁に木杭の外周部に押し込んで固定する固着部を形成し、前記本体の下端部外周面には所定の長さと所定の角度で複数の切り込みを設け、当該切り込みをそれぞれ外方に折り曲げて傾斜羽根を形成した」という特徴的構成要件により、また第２の考案によれば、「木杭の下部に取り付けられる金属パイプ製の取付金具であって、前記金属パイプを所定の長さに切断されてなる本体の内径は少なくとも木杭の外径よりも小とし、前記本体の上端部周縁に木杭の外周部に押し込んで固定する固着部を形成し、前記本体の下端部外周面には所定の長さと所定の角度で複数の切り込みを設け、当該切り込みをそれぞれ外方に折り曲げて傾斜羽根を形成すると共に、前記傾斜羽根と傾斜羽根の中間部における下端部外周面に所定長さの切り込みを上方に向けて複数設け、当該切り込みを内方に折り曲げて木杭への食い込み部を形成した」という特徴的構成要件により、地盤強化用の木杭に振動加圧を加え、効率よく地中に回転圧入が可能な木杭用取付金具の提供という、第１課題を解決することができた。【００１５】  第３の考案によれば、「前記請求項１に記載の固着部が前記本体の上端部周縁から下方に向けて所定の長さで等間隔に複数の切り込みを設け、当該切り込みを１個おきに外向きに直角に折り曲げて形成される平坦部と直立部からなる」という特徴的構成要件により、第４の考案によれば、「前記請求項２に記載の固着部が前記本体の上端部周縁から下方に向けて所定の長さで等間隔に複数の切り込みを設け、当該切り込みを外向きに直角に折り曲げて形成される平坦部である」という特徴的構成要件により、第５の考案によれば、「前記下端部外周面に設けられる切り込み寸法が前記本体の全体長さ寸法の約１／５〜１／８である」という特徴的構成要件により、第６の考案によれば、「前記下端部外周面に設けられる切り込み角度が約３０°〜４５°である」という特徴的構成要件により、製作容易で、かつ木杭への装着作業が簡便な低コストな木杭用取付金具の提供という第２課題を解決することができた。【００１６】  第７の考案によれば、「請求項１、請求項３、請求項５及び請求項６の何れかに記載の木杭用取付金具が、先端部に装着された」という特徴的構成要件により、第８の考案によれば、「請求項８に記載の考案であり、請求項２、請求項４、請求項５及び請求項６の何れかに記載の木杭用取付金具が、先端部に装着された」という特徴的構成要件により、杭用取付金具を木杭の先端部に装着した木杭の提供という第３課題を解決することができた。
【図面の簡単な説明】
【００１７】
【図１】は、本願考案に係る、木杭用取付金具に関する第１の実施形態であって、（イ）は平面図、（ロ）は正面図、（ハ）は底面図である。
【図２】は、同上の製作工程を説明する（イ）は正面図、（ロ）は平面図である。
【図３】は、同上の製作工程を説明する（イ）は正面図、（ロ）は平面図である。
【図４】は、同上の木杭用取付金具を木杭に装着した状態の正面図である。
【図５】は、本願考案に係る、木杭用取付金具に関する第２の実施形態であって、（イ）は平面図、（ロ）は正面図、（ハ）は底面図である。
【図６】は、同上の製作工程を説明する（イ）は正面図、（ロ）は平面図である。
【図７】は、同上の製作工程を説明する（イ）は正面図、（ロ）は平面図である。
【図８】は、同上の木杭用取付金具を木杭に装着した状態の正面図である。
【図９】（イ）及び（ロ）は、木杭用取付金具を木杭に装着した状態の正面図である。
【考案を実施するための形態】
【００１８】  図１は、本願考案に係る、木杭用取付金具１００の第１の実施形態を示し、金属パイプ（例えば、鉄パイプ、以下鉄パイプという）を、所定の長さＨ、例えば約３０ｃｍに切断されたもので、鉄パイプ本体１の内径Ｄ１（図２参照）は、少なくとも木杭ＷＰの外径Ｄ２（図４参照）よりも小とされている。本体１の上端部周縁１０には、木杭ＷＰの外周部ＷＰ１に押し込んで固定する固着部１１が形成されている。また本体１の下端部外周面２０には所定の長さと所定の角度で複数の切り込みＣ１を設け、当該切り込みＣ１をそれぞれ外方に折り曲げて傾斜羽根２１、２２、２３、２４が形成されている。また固着部１１は、本体１の上端部周縁１０から下方に向けて約１ｃｍの長さと等間隔（約１ｃｍ）に複数の切り込みＣ２を設け、当該切り込みＣ２を１個おきに外向きに直角に折り曲げて形成される平坦部１１ａと直立部１１ｂからなっている。
【００１９】  図２に示す切り込みＣ１の寸法は、鉄パイプ本体１の全体長さ寸法の約１／５〜１／８、即ち約４ｃｍ〜６ｃｍである。また下端部外周面２０に設けられる切り込み角度θは約３０°〜４５°である。図１及び図３に示す傾斜羽根２１、２２、２３、２４は、図示するように、等間隔に複数形成され、かつ固着部１１を形成する平坦部１１ａと直立部１１ｂも等間隔に複数形成されている。
【００２０】  図４は木杭用取付金具１００を木杭ＷＰに装着した状態を示し、図示するように木杭ＷＰの先端部ＷＰ４は、円錐状に矢じり加工され、また先端部ＷＰ４から約７０ｃｍ上部は面取りＷＰ２加工されている。木杭用取付金具１００は、本体１の上部開口を木杭ＷＰの先端部ＷＰ４から挿入し、固着部１１を木杭ＷＰの面取りＷＰ２に押し込むようにして固定する。平坦部１１ａは、木杭ＷＰの小口に当接して支持力を伝え、直立部１１ｂは木杭ＷＰ内に食い込み回転力を伝える。なお図１〜図４の何れかに示す木杭用取付金具１００に形成される傾斜羽根２１、２２、２３、２４の数は、木杭ＷＰの外径Ｄ２や埋設地の条件等により、２〜３個又はその他の複数個とすることができる。
【００２１】図５〜図８は、本願考案に係る、木杭用取付金具２００に関する第２の実施形態を示し、第１の実施形態である木杭用取付金具１００と同じ機能を有する同部材についての符号は、同符号を用いて説明する。木杭用取付金具２００は、鉄パイプを所定の長さＨ、例えば約３０ｃｍに切断されたもので、鉄パイプ本体１の内径Ｄ１（図６参照）は、少なくとも木杭ＷＰの外径Ｄ２（図８参照）よりも小とされている。本体１の上端部周縁１０には、木杭ＷＰの外周部ＷＰ１に押し込んで固定する固着部１２が形成されている。また本体１の下端部外周面２０には所定の長さと所定の角度で複数の切り込みＣ１を設け、当該切り込みＣ１をそれぞれ外方に折り曲げて傾斜羽根２１、２２、２３、２４を形成すると共に、当該傾斜羽根２１、２２、２３、２４と傾斜羽根２１、２２、２３、２４の中間部における下端部外周面２０に所定長さ（約３ｃｍ）の切り込みＣ３を上方に向けて複数設け、当該切り込みＣ３を内方に折り曲げて木杭ＷＰへの食い込み部１３が形成されている。
【００２２】  図６に示す切り込みＣ１の寸法は、鉄パイプ本体１の全体長さ寸法の約１／５〜１／８、即ち約４ｃｍ〜６ｃｍである。また下端部外周面２０に設けられる切り込み角度θは約３０°〜４５°である。図５及び図７に示す傾斜羽根２１、２２、２３、２４は、図示するように等間隔に複数形成されている。また固着部１２は、本体１の上端部周縁１０から下方に向けて所定の長さ（約１ｃｍ）で等間隔に複数の切り込みＣ２を設け、当該切り込みＣ２を外向きに直角に折り曲げて平坦部１２ａが形成されている。平坦部１２ａは木杭ＷＰの小口ＷＰ３に当接し、垂直力を伝える。
【００２３】  図８は、木杭用取付金具２００を木杭ＷＰに装着した状態を示し、図示するように木杭ＷＰの先端部ＷＰ４は、円錐状に矢じり加工され、また先端部ＷＰ４から約７０ｃｍ上部は面取りＷＰ２加工されている。木杭用取付金具２００は、本体１の上部開口を木杭ＷＰの先端部ＷＰ４から挿入し、固着部１２を木杭ＷＰの面取りＷＰ２に押し込むようにして固定する。平坦部１２ａは木杭ＷＰの小口ＷＰ３に当接して支持力を伝える。また食い込み部１３は木杭ＷＰ内に食い込み回転力を伝える。なお図５〜図８に何れかに示す木杭用取付金具２００に形成される傾斜羽根２１、２２、２３、２４の数及び食い込み部１３の数は、木杭ＷＰの外径Ｄ２や埋設地の条件等により、２〜３個又はその他の複数個とすることができる。
【００２４】  図９（イ）は、木杭用取付金具１００を木杭ＷＰに装着した状態を示している。木杭ＷＰの全長Ｌ１は約４ｍ〜４．５ｍであり、外周部ＷＰ１の外径Ｄ２は約１０ｃｍ〜２０ｃｍである。図９（ロ）は、木杭用取付金具２００を木杭ＷＰに装着した状態を示している。木杭ＷＰの全長Ｌ２は約４ｍ〜４．５ｍであり、外周部ＷＰ１の外径Ｄ２は約１０ｃｍ〜２０ｃｍである。
【００２５】  木杭用取付金具１００、２００を装着した木杭ＷＰは、杭打機（不図示）により当該木杭ＷＰの頂部ＷＰ５に振動加圧が加えられると、木杭用取付金具１００、２００は、固着部１１、１２により木杭ＷＰの小口ＷＰ３に支持力を伝えると共に、傾斜羽根２１、２２、２３、２４は回転力を付与されるので、その回転力により所定の深さの土中に圧入される。
【符号の説明】
【００２６】  １００、２００・・木杭用取付金具  １・・本体  Ｈ・・本体の長さ  Ｄ１・・内径  ＷＰ・・木杭  ＷＰ１・・外周部  ＷＰ２・・面取り  ＷＰ３・・小口  ＷＰ４・・先端部  Ｄ２・・外径  １０・・上端部周縁  １１、１２・・固着部  １１ａ、１２ａ・・平坦部  １１ｂ・・直立部  ２０・・下端部外周面  Ｃ１、Ｃ２、Ｃ３・・切り込み  ２１、２２、２３、２４・・傾斜羽根  １３・・食い込み部  θ・・切り込み角度
【図１】
0003172011.tif 000003
【図２】
0003172011.tif 000004
【図３】
0003172011.tif 000005
【図４】
0003172011.tif 000006
【図５】
0003172011.tif 000007
【図６】
0003172011.tif 000008
【図７】
0003172011.tif 000009
【図８】
0003172011.tif 000010
【図９】
0003172011.tif 000011